【事件の表示】
　特願２００１−　１２６９８「回転陽極型Ｘ線管装置」拒絶査定不服審判事件〔平成１４年　８月　２日出願公開、特開２００２−２１６６８３〕について、次のとおり審決する。
【結　論】
　本件審判の請求は、成り立たない。
【理　由】
１　手続の経緯
　本件審判事件に関する出願（以下「本願」という。）は、平成１３年１月２２日に出願された特願２００１−１２６９８号であって、平成２０年９月５日付けで拒絶理由が通知され、同年１１月１７日付けで手続補正がなされるとともに意見書が提出されたものの、平成２１年２月２６日付けで拒絶査定がなされた。
　本件審判事件は、前記拒絶査定を不服として、平成２１年４月２日に請求された拒絶査定不服審判事件である。
　
２　本願発明
　本願の請求項１ないし７に係る発明は、平成２０年１１月１７日付け手続補正書により補正された明細書の特許請求の範囲の請求項１ないし７に記載された技術的事項により特定されるとおりのものと認められるところ、その請求項１に係る発明（以下、「本願発明」という。）は次のとおりである。 
「【請求項１】　真空外囲器内に、陽極ターゲットが連結された回転体およびこの回転体との間に動圧式すべり軸受が設けられ、冷却媒体が通る冷却用空間が内部に形成された固定体を有する回転機構を収納した回転陽極型Ｘ線管と、この回転陽極型Ｘ線管を収納し内部に冷却媒体が満たされたハウジングと、このハウジングから送り出される前記冷却媒体を冷却するクーラ装置と、前記ハウジングの内部まで伸び、冷却した前記冷却媒体を前記クーラ装置から前記ハウジングに送り込む冷媒通路とを具備した回転陽極型Ｘ線管装置において、前記冷却用空間に前記回転陽極型Ｘ線管の軸方向に配置されたパイプを設け、かつ、前記冷媒通路を通して前記クーラ装置から送り込まれる前記冷却媒体の流れを９０°方向に分岐する分岐路を持つ分岐部を前記ハウジング内の前記冷媒通路に設け、前記パイプと前記分岐路とを接続し、前記分岐部で分岐された一方の冷却媒体が前記冷却用空間を流れ、前記分岐部で分岐された他方の冷却媒体の流れがハウジング内の空間に導かれることを特徴とする回転陽極型Ｘ線管装置。」
　
３　刊行物
（１）引用例１
　原査定の拒絶の理由に引用された、本願出願前に頒布された刊行物である特開２０００−４０４７９号公報（以下「引用例１」という。）には、図面とともに以下の事項が記載され、また、【図１】の図示内容から下記（１ｄ）の事項を見て取ることができる。
（１ａ）「【０００１】
【発明の属する技術分野】本発明はＸ線管の生産技術に関するものである。より詳細には、本発明は、運転中にアノードから放散される熱により引き起こされるＸ線管の軸受に対する加熱の影響を減少させることに関するものである。」
（１ｂ）「【００１３】
【発明の実施の形態】図１を参照すると、Ｘ線管１０はＸ線管ハウジング１２に取り付けられている。……（中略）……
【００１４】ハウジング１２はＸ線管１０を冷却するために油で充填されたチャンバ１３を形成する。本実施例では、ハウジング１２内の油はダイアラ（diala）油だが、他の液体を含む他の適当な冷却流体／媒体が選択的に使用できることが認められるであろう。チャンバ１３内の油はＸ線管ハウジング１２を貫通して供給され、それはＸ線管１０の管球容器１６の外面を横切って流れ、Ｘ線管１０内から発生した熱を吸収すると共にその熱をＸ線管ハウジング１２の外部に配置された熱交換器１４に移動するようになっている。熱交換器１４は入口バルブ１５ａ，１５ｂ及び出口バルブ１７を介してハウジング１２に結合されている。以下でより詳しく論じるように、熱交換器１４内の機械的流量レギュレーター２７は入口バルブ１５ａ，１５ｂを介して油の流量を制御する。本分野で公知なように、流量レギュレーター２７は従来のバルブ制御からなっている。
【００１５】引続き図１を参照すると、Ｘ線管１０の管球容器１６は空のチャンバ又は真空を形成する。好適な実施例では、管球容器１６はガラス製だが、他のセラミックス又は金属を含む他の適当な材料も又使用することが可能である。管球容器１６内にはアノード体２０及びカソード体２２が配置されている。……（中略）……
【００１６】アノード体２０は固定ナット２４を使用してローターステム１２２に取り付けられ、運転中、回転軸２６の回りを回転する。ローターステム１２２はローター本体４２に接続され、該ローター本体は電気固定子（図示せず）により軸２６の回りを回転する。ローター本体４２は以下により詳細に述べられる軸受体４４を収容している。
【００１７】図３から図６を参照すると、本発明の軸受体４４がより詳細に示されている。軸受体４４は円筒中空の軸受ハウジング４６を含み、該軸受ハウジングは内面４７（図５）と外面５０を有している。軸受ハウジング４６の外面５０は１対の内側溝５２ａ、５２ｂの境界を定め、該内側溝にはそれぞれ玉軸受４８ａ，４８ｂが配置されている。対応する玉軸受４８ａ，４８ｂ用の外側溝５４ａ，５４ｂはローター本体４２の内面で境界を定められている。各軸受４８ａ，４８ｂは高速度鋼製の多数の金属球で構成され、鉛又は銀の潤滑剤で被覆され減少した摩擦接触を提供する。勿論、別の材料製の他の適当な軸受が又使用されてもよい。
【００１８】軸受ハウジング４６内には内側冷却シャフト６０（図３及び図６）が配置されている。冷却シャフト６０を軸受ハウジング４４内に固定するため、軸受ハウジング４４は１対の受け穴７５，７６を含んでいる。受け穴７５は冷却シャフト６０の第１端部６６に形成された円盤形状のキャップ６８を受け止める大きさになっている。受け穴７６は冷却シャフト６０の反対側端部７０近傍の冷却シャフト６０の外面８０に沿って形成された環状のフランジ７８（図６）を受け止める大きさとなっている。冷却シャフト６０は軸受ハウジング４４のそれぞれの受け穴７５，７６内のキャップ６８及びフランジ７８を蝋付けすることで軸受ハウジングに固定されている。選択的に、拡散接合、溶接、又は他の機械的接合手段等の冷却シャフトを軸受ハウジング４４に固定する他の方法が使用可能である。
【００１９】冷却シャフト６０は該冷却シャフト６０の縦軸６５に沿う中心穿孔６４を含み、以下により詳細に論じるように、油を軸受体４４に流す入口を提供する。冷却シャフト６０が軸受体４４内に配置されている時、冷却シャフト６０の縦軸６５はアノード体２０の回転軸２６に一致する。中心穿孔６４は冷却シャフト６０の端部７０で始まり、他の端部６６の冷却シャフト６０に形成された円盤形状のキャップ６８で終わる。冷却シャフト６０の端部６６近傍に配置された油の戻り穿孔７２は実質上軸６５に直交する方向に形成され、中心穿孔６４を横切る。」
（１ｃ）「【００２３】運転において、熱交換器２４からの油（図１）は軸受体４４を介して供給され、熱伝導によって軸受体４４の外部を直接冷却するようになっている。より詳細には、熱交換器１４からの油は矢印Ａ１で示される方向に入口バルブ１５ｂを介して軸受体４４に供給される。上述したように、入口バルブ１５ｂの油は取りつけボルト２１の油の入口開口部２３に結合され、該油の入口開口部は冷却シャフト６０の中心穿孔６４（図３）に油の流路を提供する。冷却シャフトの中心穿孔６４に供給された油は、その油が冷却シャフト６０の油の戻り穿孔７２に達するまで矢印Ａ１の方向に流れ続ける。この点で、油は、油の戻り穿孔７２を通って冷却シャフト６０の外面８０へ流れ、実質上Ａ１の反対方向の矢印Ａ２方向に油の戻り路８５を通って導かれる。
【００２４】油の戻り路８５を通って油が通過する間、軸受ハウジング４６からの熱は油により吸収され、軸受ハウジング４６によって軸受４８ａ，４８ｂに移動される熱量を順番に減少させる。軸受４８ａ，４８ｂが配置される表面５０に対向する軸受ハウジングの内面４７に沿って油の戻り路８５に油を通すことにより、油はＸ線管１０の作動中、軸受４８ａ，４８ｂの温度を効果的に減少させることができる。更に、軸受ハウジング４６の広い表面領域を油に直接さらすことにより、油にさらされたアノード体４４の表面に沿って熱がどこへでも放散され、従って、熱は容易に、油に伝わり軸受体４４から除去することができる。」
（１ｄ）「【図１】から、入口バルブ１５ａ、１５ｂは流量レギュレーター２７に接続され、入口バルブ１５ａはハウジング１２に結合されてチャンバ１３に開口し、入口バルブ１５ｂはチャンバ内部の管路を介して入口開口部２３に結合されていることを見て取ることができる。」
　
　これら（１ａ）〜（１ｄ）の技術的事項からして、引用例１には、
「真空を形成する管球容器１６内に、アノード体２０がローターステム１２２を介して接続されたローター本体４２、および、外面５０に玉軸受４８ａ，４８ｂが配置され、油等の冷却媒体を軸受体４４内に流す入口を提供する中心穿孔６４を含む内側冷却シャフト６０が配置された円筒中空の軸受ハウジング４６を含む軸受体４４を有し、前記ローター本体４２は、電気固定子により軸２６の回りを回転するＸ線管１０と、
前記Ｘ線管１０を取り付け、内部に油等の冷却媒体が充填されたＸ線管ハウジング１２と、
入口バルブ１５ａ，１５ｂ及び出口バルブ１７を介して前記Ｘ線管ハウジング１２に結合され、前記Ｘ線管ハウジング１２を貫通して供給された前記油等の冷却媒体が吸収したＸ線管１０内で発生した熱が移動される、Ｘ線管ハウジング１２の外部に配置された熱交換器１４を具備する装置において、
前記円筒中空の軸受ハウジング４６内には内側冷却シャフト６０が配置され、
前記熱交換器１４からの油は、前記入口バルブ１５ｂ、チャンバ１３内部の管路、油の入口開口部２３、前記内側冷却シャフト６０の中心穿孔６４を介して、軸受体４４に供給されるとともに、前記入口バルブ１５ａは、前記Ｘ線管ハウジング１２で形成されるチャンバ１３に開口する装置。」の発明（以下「引用発明」）が記載されているといえる。
　
（２）引用例２
　原査定の時に提示された、本願出願前に頒布された刊行物である特開昭５８−３００５４号公報（以下「引用例２」という。）には、図面とともに以下の事項が記載され、また、第２図の図示内容から下記（２ｄ）の事項を見て取ることができる。
（２ａ）「特許請求の範囲
　回転陽極Ｘ線管を油浸内蔵し、Ｘ線管外周の絶縁油を循環してＸ線管を冷却するようにしたＸ線管装置において、Ｘ線管回転陽極のターゲット裏面に面する部分のバルブ外壁へ向け油を噴流させる機構と、ステータ絶縁筒の陽極支持体周辺からロータを囲む部分のバルブ外壁に沿って油を急速に流通させる機構とを備えた絶縁油による循環冷却路を設けたことを特徴とするＸ線管装置。」（第１頁左下欄第３〜１１行）
（２ｂ）「　第１図は本発明一実施例図、第２図は同実施例の要部拡大図である。図中、１はケース、２はターゲット裏面を黒化した回転陽極を有するＸ線管、３はターゲット、４は外周面を黒化したロータ、５はターゲット裏面に面する部分のバルブ、６はロータを囲む部分のバルブ、７はバルブ５向けの油噴流機構、８は噴流機構への送油管、９はバルブ６外壁に沿って油を急速に流通させる機構への送油管、…（中略）…、２１は油入口、２２は油出口、２３は絶縁油である。」（第１頁右下欄第１４行〜第２頁左上欄第８行）
（２ｃ）「……なお、Ｘ線管バルブ外壁を冷却して自身の温度が上昇した絶縁油は、油出口２２から図示してない冷却器に導かれ、冷却器で十分冷却され低温となって油入口２１から送入される。本発明を実施すると、油循環流路が送油管８，９によって、最初に最も温度上昇しやすい部分のバルブ外壁面に最低温状態の油が接触して流れるように強制されるので、冷却効果が非常に向上する。」（第２頁右上欄第２〜９行）
（２ｄ）「送油管９は、送油管８および油入口２１に接続され、送油管８と送油管９は、ケース１内において互いに略直交して分岐接続されている。」（第２図）
　
４　対比
　本願発明と引用発明とを対比する。
（１）最初に、引用発明の「真空を形成する管球容器１６内に、アノード体２０がローターステム１２２を介して接続されたローター本体４２、および、外面５０に玉軸受４８ａ，４８ｂが配置され、油等の冷却媒体を軸受体４４に流す入口を提供する中心穿孔６４を含む内側冷却シャフト６０が配置された円筒中空の軸受ハウジング４６を含む軸受体４４を有し、前記ローター本体４２は、電気固定子により軸２６の回りを回転するＸ線管１０」との事項と、本願発明の「真空外囲器内に、陽極ターゲットが連結された回転体およびこの回転体との間に動圧式すべり軸受が設けられ、冷却媒体が通る冷却用空間が内部に形成された固定体を有する回転機構を収納した回転陽極型Ｘ線管」との事項を対比する。
　引用発明の「真空を形成する管球容器１６」、「アノード体２０がローターステム１２２を介して接続されたローター本体４２」、「油等の冷却媒体を軸受体４４内に流す入口を提供する中心穿孔６４を含む内側冷却シャフト６０が配置された円筒中空の軸受ハウジング４６を含む軸受体４４」が、それぞれ、本願発明の「真空外囲器」、「陽極ターゲットが連結された回転体」、「冷却媒体が通る冷却用空間が内部に形成された固定体」に相当することは明らかである。そうすると、引用発明の「（軸受ハウジング４６の）外面５０に玉軸受４８ａ，４８ｂが配置され、」「ローター本体４２は、電気固定子により軸２６の回りを回転する」という事項と、本願発明の「この回転体との間に動圧式すべり軸受が設けられ、」た「回転機構」という事項とは、「この回転体との間に軸受が設けられた回転機構」である点で一致する。
　また、引用発明の「Ｘ線管」が、本願発明の「回転陽極型Ｘ線管」に相当することは、当業者の技術常識からして明らかである。
（２）次いで引用発明の「前記Ｘ線管１０を取り付け、内部に油等の冷却媒体が充填されたＸ線管ハウジング１２と、
入口バルブ１５ａ，１５ｂ及び出口バルブ１７を介して前記Ｘ線管ハウジング１２に結合され、前記Ｘ線管ハウジング１２を貫通して供給された前記油等の冷却媒体が吸収したＸ線管１０内で発生した熱が移動される、Ｘ線管ハウジング１２の外部に配置された熱交換器１４を具備する装置において」、「前記熱交換器１４からの油は、前記入口バルブ１５ｂ、チャンバ１３内部の管路、油の入口開口部２３、前記内側冷却シャフト６０の中心穿孔６４を介して、軸受体４４に供給される」との事項と、本願発明の「この回転陽極型Ｘ線管を収納し内部に冷却媒体が満たされたハウジングと、このハウジングから送り出される前記冷却媒体を冷却するクーラ装置と、前記ハウジングの内部まで伸び、冷却した前記冷却媒体を前記クーラ装置から前記ハウジングに送り込む冷媒通路とを具備した回転陽極型Ｘ線管装置」との事項を対比する。
　引用発明の「前記Ｘ線管１０を取り付け、内部に油等の冷却媒体が充填されたＸ線管ハウジング１２」が、本願発明の「この回転陽極型Ｘ線管を収納し内部に冷却媒体が満たされたハウジング」に相当することは明らかであり、また、引用発明の「熱交換器１４」は、「Ｘ線管ハウジング１２の外部に配置され」、「入口バルブ１５ａ，１５ｂ及び出口バルブ１７を介して前記Ｘ線管ハウジング１２に結合され、前記Ｘ線管ハウジング１２を貫通して供給された前記油等の冷却媒体が吸収したＸ線管１０内で発生した熱が移動される」ものであるから、引用発明の「熱交換器１４」は、本願発明の「このハウジングから送り出される前記冷却媒体を冷却するクーラ装置」に相当するといえる。
　そして、引用発明においては、「前記熱交換器１４からの油は、前記入口バルブ１５ｂ、チャンバ１３内部の管路、油の入口開口部２３、前記内側冷却シャフト６０の中心穿孔６４を介して、軸受体４４に供給される」ことにより、熱交換器１４で冷却された油等の冷却媒体が、入口バルブ１５ｂ、チャンバ１３内部の管路を通じてＸ線管ハウジング１２内に送り込まれることは明らかといえるから、引用発明と本願発明は、「ハウジングの内部まで伸び、冷却した前記冷却媒体を前記クーラ装置から前記ハウジングに送り込む冷媒通路とを具備」している点で一致する。
（３）さらに、引用発明の「前記円筒中空の軸受ハウジング４６内には内側冷却シャフト６０が配置され、
前記熱交換器１４からの油は、前記入口バルブ１５ｂ、チャンバ内部の管路、油の入口開口部２３、前記内側冷却シャフト６０の中心穿孔６４を介して、軸受体４４に供給されるとともに、前記入口バルブ１５ａは、前記Ｘ線管ハウジング１２で形成されるチャンバ１３に開口する」との事項と、本願発明の「前記冷却用空間に前記回転陽極型Ｘ線管の軸方向に配置されたパイプを設け、かつ、前記冷媒通路を通して前記クーラ装置から送り込まれる前記冷却媒体の流れを９０°方向に分岐する分岐路を持つ分岐部を前記ハウジング内の前記冷媒通路に設け、前記パイプと前記分岐路とを接続し、前記分岐部で分岐された一方の冷却媒体が前記冷却用空間を流れ、前記分岐部で分岐された他方の冷却媒体の流れがハウジング内の空間に導かれる」との事項を対比する。
　引用発明の「内側冷却シャフト６０」は、「円筒中空の軸受ハウジング４６内」に「配置され」るものであるから、本願発明の「前記冷却用空間に前記回転陽極型Ｘ線管の軸方向に配置されたパイプ」に相当する。また、上記（１）の対比事項からして、引用発明の「軸受ハウジング４６内」の「円筒中空」部が、本願発明の「冷却用空間」に相当することは明らかであるから、引用発明の「前記熱交換器１４からの油は、前記入口バルブ１５ｂ、チャンバ内部の管路、油の入口開口部２３、前記内側冷却シャフト６０の中心穿孔６４を介して、軸受体４４に供給される」という事項は、本願発明の「前記冷媒通路を通して前記クーラ装置から送り込まれる前記冷却媒体の流れ」の「一方の冷却媒体が前記冷却用空間を流れ」るという事項に相当する。
　そして、引用発明の「前記入口バルブ１５ａは、前記Ｘ線管ハウジング１２で形成されるチャンバ１３に開口する」という事項により、「前記熱交換器１４からの油」の一部が「Ｘ線管ハウジング１２で形成されるチャンバ１３」に供給されることは明らかである。
　したがって、両者は、「前記冷却用空間に前記回転陽極型Ｘ線管の軸方向に配置されたパイプを設け、かつ、前記冷媒通路を通して前記クーラ装置から送り込まれる前記冷却媒体の流れの一方の冷却媒体が前記冷却用空間を流れ、他方の冷却媒体の流れがハウジング内の空間に導かれる」点で一致する。
　
　上記（１）〜（３）の相当、一致関係からして、本願発明と引用発明とは、 
「真空外囲器内に、陽極ターゲットが連結された回転体およびこの回転体との間に軸受が設けられ、冷却媒体が通る冷却用空間が内部に形成された固定体を有する回転機構を収納した回転陽極型Ｘ線管と、この回転陽極型Ｘ線管を収納し内部に冷却媒体が満たされたハウジングと、このハウジングから送り出される前記冷却媒体を冷却するクーラ装置と、前記ハウジングの内部まで伸び、冷却した前記冷却媒体を前記クーラ装置から前記ハウジングに送り込む冷媒通路とを具備した回転陽極型Ｘ線管装置において、前記冷却用空間に前記回転陽極型Ｘ線管の軸方向に配置されたパイプを設け、かつ、前記冷媒通路を通して前記クーラ装置から送り込まれる一方の冷却媒体が前記冷却用空間を流れ、他方の冷却媒体の流れがハウジング内の空間に導かれる回転陽極型Ｘ線管装置。」の点で一致し、以下の点で相違する。 
〈相違点１〉軸受が、
本願発明は「動圧式すべり軸受」であるのに対し、引用発明は「玉軸受」である点。 
〈相違点２〉一方の冷却媒体が前記冷却用空間を流れ、他方の冷却媒体の流れがハウジング内の空間に導かれるように、「ハウジングの内部まで伸び」ている冷媒通路が、
本願発明は「冷却媒体の流れを９０°方向に分岐する分岐路を持つ分岐部を前記ハウジング内の前記冷媒通路に設け、前記パイプと前記分岐路とを接続」して、「前記分岐部で分岐された一方の冷却媒体が前記冷却用空間を流れ、前記分岐部で分岐された他方の冷却媒体の流れがハウジング内の空間に導」くのに対し、引用発明は、冷却媒体の流れを９０°方向に分岐する分岐路を持つ分岐部を前記ハウジング内の冷媒通路に具備せず、冷却媒体の流れは入口バルブ１５ａ、１５ｂを介して個別にハウジング内の導入され、入口バルブ１５ｂからの冷却媒体の流れは、ハウジング内部の冷媒通路であるチャンバ１３内部の管路、油の入口開口部２３、前記内側冷却シャフト６０の中心穿孔６４を介して、軸受体４４に供給されるものの、入口バルブ１５ａからの冷却媒体の流れは、ハウジングの内部まで伸びる冷媒通路を流れることなく、Ｘ線管ハウジング１２で形成されるチャンバ１３に開口することにより、ハウジング内の空間に導かれている点。
　
５　検討・判断
　上記各相違点について検討する。
（１）相違点１について
　回転陽極型Ｘ線管の陽極ターゲットが連結された回転体に、動圧式すべり軸受を用いるとともに、当該動圧式すべり軸受の固定部に冷却用空間を形成して冷却媒体を流通させることは、例えば、特開平３−１８２０３７号公報、特開平５−２９０７６８号公報に見られるように、本願出願前周知の事項にすぎない。
　してみると、玉軸受を用いた回転陽極型Ｘ線管装置に関する引用発明を、動圧式すべり軸受を用いた回転陽極型Ｘ線管装置に適用する点に何らの進歩性も見いだすことはできない。
　
（２）相違点２について
　引用例２には、引用発明と同様な、回転陽極Ｘ線管２をケース１内の絶縁油中に油浸内蔵して絶縁油をケース１内と冷却器を循環せしめてＸ線管を冷却する回転陽極Ｘ線管装置において、冷却器で冷却された絶縁油をケース１内部に供給する際、前記絶縁油をケース１内に油入口２１から送入し、ケース１内で、互いに略直交して接続された送油管８，９に分岐接続して、一方の送油管を流通する油で軸受部を冷却し、他方の送油管を流通する油でＸ線管のバルブ５を冷却するよう構成することが記載されている（前記（２ａ）〜（２ｄ）参照）。したがって、一箇所の冷却媒体入口から導入された冷却媒体をケース内に設けた略９０°方向に分岐する分岐部で各冷媒通路に分岐し、冷却媒体を冷媒通路を通じて冷却が必要とされる箇所へ導くことは、本願出願前公知の事項である。
　してみると、引用発明において、油等の冷却媒体を一箇所の冷却媒体入口から導入するとともに、前記油等の冷却媒体の流れを９０°方向に分岐する分岐路を持つ分岐部をハウジング１２内の前記油等の冷却媒体の通路に設け、前記冷却媒体入口と前記分岐路とを接続し、それぞれの冷却媒体の流れを、軸受体４４およびチャンバ１３内部に供給するよう構成して、上記相違点２に係る構成を得ることは当業者が容易に想到し得る事項である。
　そして、引用発明に上記相違点２を具備せしめることにより、引用発明ならびに引用例２に記載された事項から想定できない格別顕著な作用効果が奏されると認める根拠を見いだすこともできない。
　したがって、相違点２に格別の進歩性を見いだすことはできない。
　
　なお、請求人は、審判請求書（平成２１年６月２５日付け手続補正書）で、上記引用例１と本願発明とを対比し、「冷却媒体の流れを９０°方向に分岐する分岐路を持つ分岐部」を設けたことにより、分岐される冷却媒体が定量化できるという特性を利用して軸受部分の温度を適温に制御できるとともに、冷却媒体がハウジング内のほぼ中央から送り出されるためハウジング内を流れる冷却媒体を均一化できる、旨主張する。
　しかしながら、分岐部で分岐される冷却媒体の流量は、分岐先で冷却媒体が如何なる抵抗を受けるか、すなわち、冷却媒体が流路解放端から放出された後に受ける圧力損失によって異なることは明らかであるから、「分岐される冷却媒体が定量化できる」とは到底認められないし、「冷却媒体の流れを９０°方向に分岐する分岐路を持つ分岐部」を設けることによってそのような作用効果が奏されるならば、当該作用効果は引用例２においても奏されている作用効果であるということができ、当該分岐部を設けるならば引用例１において設けられている流量レギュラータ２７の機能を代替し得ることは、当業者に明らかといえる。
　また、ハウジング内を流れる冷却媒体の流れについて、冷却媒体流路の解放位置による影響があるであろうことは首肯できるものの、閉鎖空間である分岐部とは何ら関係がないことは明らかであるし、本願発明は、分岐部を設ける位置やハウジング内での冷却媒体の解放位置について、何ら規定していない。
　したがって、請求人の前記主張はいずれも技術的根拠がなく当を得ないものであり、採用することはできない。
　
（３）小括
　以上のとおりであるから、本願発明は、引用発明、引用例２に記載された技術的事項および本願出願前周知の事項に基いて当業者が容易に発明できたものである。
　
６　むすび
　上記のとおり、本願の請求項１に係る発明は、本願出願前に頒布された刊行物である引用例１に記載された発明、引用例２に記載された技術的事項および本願出願前周知の事項に基いて当業者が容易に発明をすることができたものであるので、特許法第２９条第２項の規定により特許を受けることができないものである。
　したがって、その余の請求項に係る発明について論及するまでもなく、本願は拒絶すべきものである。
　よって、結論のとおり審決する。